【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
無機又は有機基材上への強接着性コーティングの製造方法であって、
ａ）無機又は有機基材上に、低温プラズマ処理、コロナ放電処理、オゾン化、又は紫外線照射、又は火炎処理を行い、
ｂ）１種以上の光開始剤、又は光開始剤と少なくとも１個のエチレン性不飽和基を含有するモノマー若しくは／及びオリゴマーとの混合物、あるいは前述の物質の溶液、懸濁液、又はエマルションを、無機又は有機基材に塗布し、そして
ｃ）場合により、適切な方法を用いて、これら前述の物質を乾燥するか、かつ／又は電磁波を照射し、
工程ｂ）において、式Ｉ又はＩａ：
【化１】
2008523987.tif 000001
〔式中、ｎは、１〜４の数であり；
Ｘは、Ｏ、Ｓ、又はＮＲ5であり；
Ｚは、Ｏ又はＳであり；
ｎが１である場合、Ｒ1は、水素、Ｃ1〜Ｃ50アルキル、Ｃ2〜Ｃ24アルケニル、Ｃ3〜Ｃ25シクロアルキル；１個以上のＸ2で中断されたＣ2〜Ｃ250アルキル；１個以上のＸ2で中断されたＣ2〜Ｃ24アルケニル；１個以上のＸ2で中断されたＣ3〜Ｃ25シクロアルキル（ここで前記基Ｃ1〜Ｃ50アルキル、Ｃ2〜Ｃ24アルケニル、Ｃ3〜Ｃ25シクロアルキル；１個以上のＸ2で中断されたＣ2〜Ｃ250アルキル；１個以上のＸ2で中断されたＣ2〜Ｃ24アルケニル；１個以上のＸ2で中断されたＣ3〜Ｃ25シクロアルキルは、場合により１個以上のＡで置換されている）であるか；
又はＲ1は、場合によりＡ1で置換されているフェニルであるか；
又は、ＸがＮＲ5である場合、Ｒ5及びＲ1は、Ｎ−原子と一緒になって、場合によりＮ−原子のほかに別の基ＮＲ5を含んでいる環を形成していてもよく；
ｎが２である場合、Ｒ1は、二価の結合基であり；
ｎが３である場合、Ｒ1は、三価の結合基であり；
ｎが４である場合、Ｒ1は、四価の結合基であり；
Ｍは、ｎ価のカチオンであり；
Ａは、
【化２】
2008523987.tif 000002
、ＯＲ9、ＳＲ9、ＮＲ10Ｒ11、ハロゲン、非置換フェニル、又は１個以上のＣ1〜Ｃ24アルキル、Ｃ3〜Ｃ25シクロアルキル、Ｃ2〜Ｃ24アルケニル、Ｃ2〜Ｃ24アルキニル、フェニル、ＯＲ9、ＳＲ9、ＣＯＲ9、ＣＯＯＲ9、ＯＣＯＲ9、ＣＯＮ10Ｒ11、ＯＣＯＮＲ10Ｒ11、
【化３】
2008523987.tif 000003
で置換されたフェニルであり、
Ａ1は、Ｃ1〜Ｃ24アルキル、１個以上のＸ2で中断されたＣ2〜Ｃ24アルキル；Ｃ2〜Ｃ24アルケニル、１個以上のＸ2で中断されたＣ2〜Ｃ24アルケニル；Ｃ3〜Ｃ25シクロアルキル；１個以上のＸ2で中断されたＣ3〜Ｃ25シクロアルキル（ここで前記基Ｃ1〜Ｃ24アルキル、１個以上のＸ2で中断されたＣ2〜Ｃ24アルキル、Ｃ2〜Ｃ24アルケニル；１個以上のＸ2で中断されたＣ2〜Ｃ24アルケニル；Ｃ3〜Ｃ25シクロアルキル；及び１個以上のＸ2で中断されたＣ3〜Ｃ25シクロアルキルは、場合により１個以上のＣ2〜Ｃ24アルキニル、フェニル、ＯＲ9、ＳＲ9、−ＣＯＲ9、ＣＯＯＲ9、
【化４】
2008523987.tif 000004
で置換されている）であるか；
あるいはＡ1は、
【化５】
2008523987.tif 000005
、ＯＲ9、ＳＲ9、ＮＲ10Ｒ11、非置換フェニル、又は１個以上のＣ1〜Ｃ24アルキル、Ｃ2〜Ｃ24アルケニル、Ｃ3〜Ｃ25シクロアルキル、Ｃ2〜Ｃ24アルキニル、フェニル、ＯＲ9、ＳＲ9、ＣＯＲ9、ＣＯＯＲ9、ＯＣＯＲ9、ＣＯＮ10Ｒ11、ＯＣＯＮＲ10Ｒ11、
【化６】
2008523987.tif 000006
で置換されたフェニルであり；
Ｒ2、Ｒ3、及びＲ4は、互いに独立に、水素、ハロゲン、ＣＮ、Ｃ1〜Ｃ24アルキル、１個以上のＸ2で中断されたＣ2〜Ｃ24アルキル；Ｃ2〜Ｃ24アルケニル、１個以上のＸ2で中断されたＣ2〜Ｃ24アルケニル；Ｃ3〜Ｃ25シクロアルキル；１個以上のＸ2で中断されたＣ3〜Ｃ25シクロアルキル（ここで前記基Ｃ1〜Ｃ24アルキル、１個以上のＸ2で中断されたＣ2〜Ｃ24アルキル、Ｃ2〜Ｃ24アルケニル、１個以上のＸ2で中断されたＣ2〜Ｃ24アルケニル、Ｃ3〜Ｃ25シクロアルキル、及び１個以上のＸ2で中断されたＣ3〜Ｃ25シクロアルキルは；場合により１個以上のＣ2〜Ｃ24アルキニル、フェニル、ハロゲン、ＯＲ9、ＳＲ9、ＮＲ10Ｒ11、ＣＯＲ9、ＣＯＯＲ9、ＯＣＯＲ9、Ｎ（Ｒ5）ＣＯＲ9、ＣＯＮ（Ｒ5）Ｒ9、
【化７】
2008523987.tif 000007
で置換されている）であるか；
あるいはＲ2、Ｒ3、及びＲ4は、
【化８】
2008523987.tif 000008
、ＯＲ9、ＳＲ9、ＮＲ10Ｒ11、ＣＯＲ9、ＣＯＯＲ9、ＯＣＯＲ9、Ｎ（Ｒ5）ＣＯＲ9、ＣＯＮ（Ｒ5）Ｒ9、非置換フェニル、又は１個以上のＯＲ9、ＳＲ9、ＮＲ10Ｒ11、ＣＯＲ9、ＣＯＯＲ9、ＯＣＯＲ9、Ｎ（Ｒ5）ＣＯＲ9、ＣＯＮＲ10Ｒ11、ＯＣＯＮＲ10Ｒ11、Ｃ1〜Ｃ24アルキル、Ｃ2〜Ｃ24アルケニル、Ｃ3〜Ｃ25シクロアルキル、Ｃ2〜Ｃ24アルキニル、フェニル、
【化９】
2008523987.tif 000009
で置換されたフェニルであるか；
あるいはＲ2及びＲ3は、一緒になってＣ1〜Ｃ6アルキレンを形成するか、又はＲ2及びＲ3は一緒になって、これらが結合したフェニル環に縮合したベンゼン環を形成し；
Ｒ5は、ｎが１である場合のＲ1について示した意味の一つを有するか；又はＲ5は、
【化１０】
2008523987.tif 000010
であり、
Ｘ1は、直接結合、Ｏ、Ｓ、又はＮＲ12であり；
Ｘ2は、Ｏ、Ｓ、ＮＲ12、ＣＯ、ＣＯＯ、ＯＣＯ、ＣＯＮＲ12、ＮＲ12ＣＯ、ＯＣＯＮＲ12、ＮＲ12ＣＯＯ、ＮＲ12ＣＯＮＲ13、ＳＯ、ＳＯ2、ＣＲ12＝ＣＲ13、Ｃ≡Ｃ、Ｎ＝Ｃ−Ｒ12、Ｒ12Ｃ＝Ｎ、
【化１１】
2008523987.tif 000011
、フェニレン；又はＡ1で置換されたフェニレンであり；
Ｒ6、Ｒ7、及びＲ8は、互いに独立に、Ｒ2、Ｒ3、及びＲ4について示したのと同じ意味を有し；
Ｒ9、Ｒ10、及びＲ11は、互いに独立に、水素、Ｃ1〜Ｃ24アルキル；１個以上のＸ2で中断されたＣ2〜Ｃ24アルキル；Ｃ2〜Ｃ24アルケニル；１個以上のＸ2で中断されたＣ2〜Ｃ24アルケニル；Ｃ3〜Ｃ25シクロアルキル；１個以上のＸ2で中断されたＣ3〜Ｃ25シクロアルキル（ここで前記基Ｃ1〜Ｃ24アルキル；１個以上のＸ2で中断されたＣ2〜Ｃ24アルキル；Ｃ2〜Ｃ24アルケニル；１個以上のＸ2で中断されたＣ2〜Ｃ24アルケニル；Ｃ3〜Ｃ25シクロアルキル；及び１個以上のＸ2で中断されたＣ3〜Ｃ25シクロアルキルは、場合により１個以上のＣ2〜Ｃ24アルキニル、フェニル、ハロゲン、ＣＮ、ＯＲ12、ＳＲ12、ＣＯＲ12、ＣＯＯＲ12、
【化１２】
2008523987.tif 000012
で置換されている）であるか；
あるいはＲ9、Ｒ10、及びＲ11は、互いに独立に、非置換フェニル、又は１個以上のＣＯＲ12、ＣＯＯＲ12、ＯＣＯＲ12、ＣＯＮＲ13Ｒ14、ＯＣＯＮＲ13Ｒ14、Ｃ1〜Ｃ24アルキル、Ｃ2〜Ｃ24アルケニル、Ｃ3〜Ｃ25シクロアルキル、Ｃ2〜Ｃ24アルキニル、フェニル、ＯＲ12、ＳＲ12、
【化１３】
2008523987.tif 000013
で置換されたフェニルであるか；
あるいはＲ9、Ｒ10、及びＲ11は、互いに独立に、非置換フェニル−Ｃ1〜Ｃ4−アルキル、又は１個以上のＣＯＲ12、ＣＯＯＲ12、ＯＣＯＲ12、ＣＯＮＲ13Ｒ14、ＯＣＯＮＲ13Ｒ14、Ｃ1〜Ｃ24アルキル、Ｃ3〜Ｃ25シクロアルキル、Ｃ2〜Ｃ24アルケニル、Ｃ2〜Ｃ24アルキニル、フェニル、ＯＲ12、ＳＲ12、
【化１４】
2008523987.tif 000014
で置換されたフェニル−Ｃ1〜Ｃ4アルキルであり；
Ｒ12、Ｒ13、及びＲ14は、互いに独立に、水素、フェニル、Ｃ1〜Ｃ24アルキル；１個以上のＸ3で中断されたＣ2〜Ｃ24アルキル；Ｃ2〜Ｃ24アルケニル；１個以上のＸ3で中断されたＣ2〜Ｃ24アルケニル；Ｃ3〜Ｃ25シクロアルキル；１個以上のＸ3で中断されたＣ3〜Ｃ25シクロアルキル（ここで前記基フェニル、Ｃ1〜Ｃ24アルキル；１個以上のＸ3で中断されたＣ2〜Ｃ24アルキル；Ｃ2〜Ｃ24アルケニル；１個以上のＸ3で中断されたＣ2〜Ｃ24アルケニル；Ｃ3〜Ｃ25シクロアルキル；及び１個以上のＸ3で中断されたＣ3〜Ｃ25シクロアルキルは、場合により１個以上のＯＨ又はハロゲンで置換されている）であり；
Ｘ3は、Ｏ、Ｓ、又はＮＲ5であり；そして
Ｒ15、Ｒ16、及びＲ17は、互いに独立に、水素、Ｃ1〜Ｃ24アルキル、ＣＨ2−ＣＯＯＨ、ＣＯＯＨ、又はフェニルである〕の光開始剤を少なくとも１種用いることを特徴とする、方法。
【請求項２】
ｄ）更なるコーティングを塗布し、そして乾燥又は硬化させる、請求項１記載の方法。
【請求項３】
更なるコーティングｄ）が、
ｄ１）ＵＶ／ＶＩＳ放射線若しくは電子ビームで硬化する、少なくとも１種の重合性モノマー、又はエチレン性不飽和のモノマー若しくはオリゴマーを含む、溶剤又は水系の組成物；あるいは
ｄ２）溶剤又は水系の通常の乾燥コーティング、例えば印刷インク又はラッカー；あるいは
ｄ３）金属層
である、請求項２記載の方法。
【請求項４】
工程ｂ）において、光開始剤（１種又は複数種）又はそのモノマー若しくはオリゴマーとの混合物を、１種以上の液体と組み合わせて、溶液、懸濁液、及びエマルションの形態で用いる、請求項１〜３のいずれか１項記載の方法。
【請求項５】
式Ｉｂ：
【化１９】
2008523987.tif 000015
（式中、Ｔ1、Ｔ2、Ｔ3、Ｔ4、Ｔ5、Ｔ6、Ｔ7、Ｔ8は、互いに独立に、水素又はＣ1〜Ｃ4アルキルであり；
Ｔは、ＮＲ12ＣＯＲ9、ＮＲ10Ｒ11、
【化２０】
2008523987.tif 000016
であり；
ａ、ｂ、ｃは、互いに独立に、０〜５０の整数であり、
ただし、ａ＋ｂ＋ｃの合計は２以上であり；そして
Ｒ2、Ｒ3、Ｒ4、Ｒ6、Ｒ7、Ｒ8、Ｒ9、Ｒ10、Ｒ11、Ｒ12、Ｒ15、Ｒ16、及びＲ17は、請求項１の定義の通りである）の化合物。
【請求項６】
式Ｉｃ：
【化２１】
2008523987.tif 000017
（式中、Ｔ1、Ｔ2、Ｔ3、Ｔ4、Ｔ5、Ｔ6、Ｔ7、Ｔ8は、互いに独立に、水素又はＣ1〜Ｃ4アルキルであり；
ａは、４〜５０、好ましくは４〜２０の整数であり；
Ｔは、
【化２２】
2008523987.tif 000018
、ＯＲ9、ＳＲ9、ＮＲ10Ｒ11、ハロゲン、非置換フェニル、又は１個以上のＣ1〜Ｃ24アルキル、Ｃ3〜Ｃ25シクロアルキル、Ｃ2〜Ｃ24アルケニル、Ｃ2〜Ｃ24アルキニル、フェニル、ＯＲ9、ＳＲ9、ＣＯＲ9、ＣＯＯＲ9、ＯＣＯＲ9、ＣＯＮ10Ｒ11、ＯＣＯＮＲ10Ｒ11、
【化２３】
2008523987.tif 000019
で置換されたフェニルであり；そして
Ｒ2、Ｒ3、Ｒ4、Ｒ6、Ｒ7、Ｒ8、Ｒ9、Ｒ10、Ｒ11、Ｒ12、Ｘ1、Ｒ15、Ｒ16、及びＲ17は、
請求項１の定義の通りである）の化合物。
【請求項７】
式Ｉｄ：
【化２４】
2008523987.tif 000020
（式中、ａは、１〜７の整数であり；そして
Ｒ2、Ｒ3、及びＲ4は、請求項１定義の通りである）の化合物。
【請求項８】
式Ｉｅ：
【化２５】
2008523987.tif 000021
（式中、Ｔ1、Ｔ2、Ｔ3、Ｔ4、Ｔ5、Ｔ6、Ｔ7、Ｔ8、Ｔ9、Ｔ10、Ｔ11、Ｔ12は、互いに独立に、水素又はＣ1〜Ｃ4アルキルであり；
Ｔ13は、水素又はＣ1〜Ｃ4アルキル、好ましくは水素又はエチルであり；
Ｔx、Ｔy、Ｔzは、互いに独立に、ＮＲ12ＣＯＲ9、ＮＲ10Ｒ11、
【化２６】
2008523987.tif 000022
であり；
ただし、Ｔx、Ｔy、又はＴzの少なくとも１つは、
【化２７】
2008523987.tif 000023
であり；
ｕは、０〜１０の整数であり；
ｘ、ｙ、ｚは、互いに独立に、０〜５０の整数であり；そして
Ｒ6、Ｒ7、Ｒ8、Ｒ9、Ｒ10、Ｒ11、Ｒ12、Ｒ15、Ｒ16、及びＲ17は、請求項１の定義の通りである）の化合物。
【請求項９】
方法の工程ｂ）における、光開始剤又は複数の光開始剤の濃度が、全配合物に基づいて０．０００１〜１００％である、請求項１〜４のいずれか１項記載の方法。
【請求項１０】
請求項１〜４のいずれか１項記載の方法により得た、強接着性コーティング。